(57)【要約】【課題】  弾球遊技機の制御基板の配線パターンを不正行為から保護する。【解決手段】  制御基板ボックス１４では、コネクタガイド２０を用い、上箱部１６にハーネス孔２２を設けたことにより、コネクタ１２だけを外部に露出し、配線パターンは全く露出されない。したがって、配線パターンの一部を変更したり、一部の部品を交換あるいは追加するような、不正な改変を確実に防止できる。【選択図】  図５
2005028158.tif 000002
【特許請求の範囲】
【請求項１】
制御基板を収容し、上箱部と、下箱部と、コネクタガイドとで構成された制御基板ボックスを備えた弾球遊技機において、
前記制御基板ボックスは透明プラスチック製とされ、
特殊ビスで螺着し、前記制御基板ボックスを閉鎖することで、前記特殊ビスにより一旦螺着した後はビス通を破壊しない限り前記上箱部と前記下箱部とを分離できないようにされ、
前記上箱部には、ハーネス孔が設けられており、前記ハーネス孔の下端部と、前記コネクタガイドの上縁部とは互いに整合する形状とされ、
前記コネクタガイドの底には、前記制御基板に設けられた複数のコネクタのそれぞれに整合する形状の複数のコネクタ孔が設けられており、
前記制御基板を前記下箱部に入れて固定し、前記コネクタガイドを前記複数のコネクタに貫通させて前記制御基板上に載せ、前記上箱部を前記下箱部に載せることで、前記複数のコネクタは、対応する前記コネクタ孔を貫通して前記ハーネス孔側に露出され、
前記コネクタガイドは、前記コネクタを外部に露出し、前記制御基板の配線パターンは露出させないようにすることで、前記コネクタ孔を貫通している前記コネクタにより前記制御基板の面に沿っての移動が規制され、前記上箱部と下箱部とによって前記制御基板の面に垂直の方向に沿っての移動が規制され該コネクタガイドを取り外すことができないようにすることを特徴とする弾球遊技機。
【請求項２】
前記上箱部の側面にビス通を設け、前記下箱部の側面に前記ビス通に対応するビス受を設け、
前記ビス通及び前記ビス受を整合させて前記特殊ビスで螺着することを特徴とする請求項１に記載の弾球遊技機。
【請求項３】
前記下箱部の底の内側には、透明な導電性フィルムが設けられ、前記下箱部の内側側面には、中継手段として機能し且つ前記下箱部を補強する補強手段が設けられ、前記制御基板の１隅の裏面には、コーナ電極が設けられ、
前記コーナ電極は、前記制御基板の対地アース用のプリント配線を介して前記コネクタの対地アース用端子に接続され、
前記制御基板が前記下箱部に固定された状態で、前記導電性フィルムは、前記補強手段を介して前記コーナ電極と接続された状態で前記対地アース用端子に接続されることを特徴とする請求項１または請求項２に記載の弾球遊技機。
【発明の詳細な説明】
【技術分野】
【０００１】
本発明は、弾球遊技機の技術分野に属し、詳しくはその弾球遊技機の制御基板を収容する制御基板ボックスに関する。
【背景技術】
【０００２】
パチンコ機等の弾球遊技機においては、例えば大当たりの判定を行ったり大入賞装置の開閉を制御するための制御基板（制御装置と呼ばれることもある）が備えられている。この制御基板の本質はマイクロコンピュータであって、その動作はＲＯＭに格納されているプログラムに従っている。
【０００３】
つまり、プログラムを変更すれば大当たりの発生や大入賞装置の開放を任意に操作できるわけで、そうしたプログラムの改変により不当な利得を図ることも皆無ではなかった。このプログラムの改変は、実際には改変したプログラムを格納するＲＯＭあるいはそのようなＲＯＭを含むワンチップマイコンを正規のものと交換することによって行われ、ときには基板の配線の改変等も行われていた。
【０００４】
このため、最近ではＲＯＭの交換や配線の改変等の有無を目視で調べることが可能なように、制御基板を収容する制御基板ボックスを透明なプラスチック製にすることが求められている。
【特許文献１】特開平９−２９００５４号公報
【発明の開示】
【発明が解決しようとする課題】
【０００５】
しかしながら、制御基板ボックスを透明なプラスチック製にしただけでは、基板の配線の改変等を防止できなかった。
【課題を解決するための手段】
【０００６】
上記課題を解決するための請求項１記載の弾球遊技機は、
制御基板を収容し、上箱部と、下箱部と、コネクタガイドとで構成された制御基板ボックスを備えた弾球遊技機において、
前記制御基板ボックスは透明プラスチック製とされ、
特殊ビスで螺着し、前記制御基板ボックスを閉鎖することで、前記特殊ビスにより一旦螺着した後はビス通を破壊しない限り前記上箱部と前記下箱部とを分離できないようにされ、
前記上箱部には、ハーネス孔が設けられており、前記ハーネス孔の下端部と、前記コネクタガイドの上縁部とは互いに整合する形状とされ、
前記コネクタガイドの底には、前記制御基板に設けられた複数のコネクタのそれぞれに整合する形状の複数のコネクタ孔が設けられており、
前記制御基板を前記下箱部に入れて固定し、前記コネクタガイドを前記複数のコネクタに貫通させて前記制御基板上に載せ、前記上箱部を前記下箱部に載せることで、前記複数のコネクタは、対応する前記コネクタ孔を貫通して前記ハーネス孔側に露出され、
前記コネクタガイドは、前記コネクタを外部に露出し、前記制御基板の配線パターンは露出させないようにすることで、前記コネクタ孔を貫通している前記コネクタにより前記制御基板の面に沿っての移動が規制され、前記上箱部と下箱部とによって前記制御基板の面に垂直の方向に沿っての移動が規制され該コネクタガイドを取り外すことができないようにすることを特徴とする。
【０００７】
コネクタガイドは、コネクタを外部に露出し、制御基板の配線パターンは露出させないようにするから、配線パターンの一部を変更したり、一部の部品を交換あるいは追加するような、不正な改変を確実に防止できる。
【０００８】
請求項２記載の弾球遊技機は、
前記上箱部の側面にビス通を設け、前記下箱部の側面に前記ビス通に対応するビス受を設け、
前記ビス通及び前記ビス受を整合させて前記特殊ビスで螺着することを特徴とする請求項１に記載の弾球遊技機である。
【０００９】
請求項３記載の弾球遊技機は、
前記下箱部の底の内側には、透明な導電性フィルムが設けられ、前記下箱部の内側側面には、中継手段として機能し且つ前記下箱部を補強する補強手段が設けられ、前記制御基板の１隅の裏面には、コーナ電極が設けられ、
前記コーナ電極は、前記制御基板の対地アース用のプリント配線を介して前記コネクタの対地アース用端子に接続され、
前記制御基板が前記下箱部に固定された状態で、前記導電性フィルムは、前記補強手段を介して前記コーナ電極と接続された状態で前記対地アース用端子に接続されることを特徴とする請求項１または請求項２に記載の弾球遊技機である。
【００１０】
導電性フィルムが電磁波を吸収するからシールド性が確保され、また導電性フィルムからの空中放電により静電気が放出されるので過剰に蓄積された静電気によって制御基板の動作に障害が発生することも防止できる。
【００１１】
さらに、導電性フィルムは、前記補強手段を介して前記コーナ電極と接続された状態で前記対地アース用端子に接続されるので、静電気の蓄積防止効果を一層良好にできる。
なお、弾球遊技機における静電気発生の主因は、弾球遊技機の各部を移動する遊技球によるものであるから、制御基板ボックスの遊技球の通路側となる部分（すなわち弾球遊技機の本体に対面する部分）に導電性フィルムを配置すると、効率よく上述の各効果を発揮させることができる。
【発明を実施するための最良の形態】
【００１２】
次に、本発明の実施例を図面を参照して説明することにより、発明の実施の形態を具体的に説明する。
【実施例】
【００１３】
図１に示すように、パチンコ機（パチンコ機本体は公知技術に従っているので、その図示と説明は省略）の始動入賞装置への入賞をきっかけとして大当たりの判定を行ったり可変入賞装置の開閉の制御等を実行する制御基板１０には、詳細の図示は省略するが、配線パターンがプリントされ、ＣＰＵ、ＲＯＭ、ＲＡＭ等のディバイスや抵抗、コンデンサ等さまざまな電気部品が実装され、外部（パチンコ機の各部に設置されているセンサ類や制御対象となる装置等）と制御基板１０とを接続するための複数のコネクタ１２が取付けられている。また、制御基板１０の１隅の裏面にコーナ電極１３が設けられている。このコーナ電極１３は、配線パターンの一部とされている対地アース用のプリント配線（図示略）に接続されており、対地アース用のプリント配線はコネクタ１２の対地アース用端子（図示略）に接続されている。
【００１４】
この制御基板１０を収容する制御基板ボックス１４は、いずれも透明プラスチック製の上箱部１６、下箱部１８およびコネクタガイド２０にて構成されている。なお、制御基板ボックス１４をパチンコ機に取付けた際には、下箱部１８がパチンコ機の本体側になる。
【００１５】
上箱部１６には矩形筒状のハーネス孔２２が設けられており、ハーネス孔２２の下端部２４とコネクタガイド２０の上縁部２６とは互いに整合する形状となっている。また、上箱部１６には、多数の通気孔２８が設けられている。
【００１６】
さらに、上箱部１６の側面には、板状のビス通３０と筒状のビス通３２が設けられている。各ビス通３２は、一対の腕３４を介して上箱部１６の本体３６に連結されている。これらの腕３４は、例えばビス通３２と本体３６との間にドライバのようなものを差し込んで力を加えると、比較的たやすく破壊できる。
【００１７】
図１及び図２に示すように、下箱部１８の側面３８には、制御基板ボックス１４をパチンコ機本体に装着するための取付ピン４０が立設され、ビス通３０に対応するビス受４２とビス通３２に対応するビス受４４が設けられている。また、図１〜図３に示すように、側面３８の内側には中継手段として機能し、全体がプラスチック製のために強度が充分と言えない下箱部１８（特に側面３８）を補強する補強手段ともなるステンレス板４６が貼られている。
【００１８】
図２および図３に示すように、ステンレス板４６には下箱部１８の底１８ａに沿って延出された舌部４８が設けられており、この舌部４８は底１８ａとフィルム押５０とによって挟持されている。また、図２に示すように、ステンレス板４６には、下箱部１８の四隅に対応して、有孔の爪４９が設けられている。図２及び図４に示すように、下箱部１８には、各爪４９に対応する位置にビス受５１が設けられている。
【００１９】
図２に示すように、フィルム押５０は、舌部４８に重なる部分が凸となっている他はほぼ下箱部１８の内周形状に沿った形状で、底１８ａに対してほぼ垂直となる外周部５２と
底１８ａにほぼ平行となる内周部５４とからなり、内周部５４の内側には窓状の孔５６が形成されている。また、外周部５２には取付片５８が設けられ、この取付片５８を貫通するビス６０により下箱部１８の底１８ａに取付けられている。そして、図２、図３および図５に示すように、下箱部１８の底１８ａの内側には、導電性フィルム６２が貼られていて、この導電性フィルム６２の周縁部をフィルム押５０と底１８ａとで挟持している。
【００２０】
この導電性フィルム６２は、ポリエステルフィルムの表面に酸化インジウム錫（Indium
Tin Oxide、ＩＴＯ）等をスパッタリング法により蒸着した透明誘導フィルム（東レ株式会社、商品名ハイビーム１２５Ｌ−ＣＨ２２）であり、ＪＩＳ．Ｃ２３１８による表面抵抗値は３００Ω／□、ＪＩＳ．Ｋ６７１４による光線透過率は８４〜８８でほとんど透明である。
【００２１】
図１に示すように、コネクタガイド２０の底には、複数のコネクタ１２のそれぞれに整合する形状の複数のコネクタ孔２０ａ〜２０ｈが設けられており、図５に示されるように各コネクタ１２は対応するコネクタ孔２０ａ〜２０ｈを貫通してハーネス孔２２側に露出される。
【００２２】
このような構造の制御基板ボックス１４に制御基板１０を収容するには、まず図１に示されるように制御基板１０を下箱部１８に入れ、制御基板１０の四隅に設けられているビス孔（図示略）にビス７０を貫通させる。これらのビス７０はステンレス板４６の爪４９を貫通してビス受５１に達するから、そこでビス７０をビス受５１に螺合させる。これで制御基板１０が下箱部１８に固定されたことになる。このとき、導電性フィルム６２は、ステンレス板４６を介して制御基板１０のコーナ電極１３と接続された状態になる。
【００２３】
次に、コネクタガイド２０のコネクタ孔２０ａ〜２０ｈにコネクタ１２を貫通させて、コネクタガイド２０を制御基板１０上に載せてから、上箱部１６を下箱部１８にかぶせるようにして載せる。そして、ビス通３０とビス受４２、ビス通３２とビス受４４を整合させ、４組のビス通３０とビス受４２をビスで螺着し、一側面３８につき１組（合計２組）のビス通３２とビス受４４を特殊ビスで螺着する。これにより、制御基板１０を収容して制御基板ボックス１４が閉鎖されたことになる。このように制御基板ボックス１４が閉鎖された際には、コネクタガイド２０はコネクタ孔２０ａ〜２０ｈを貫通しているコネクタ１２によって制御基板１０の面に沿っての移動を規制され、上箱部１６と下箱部１８とによって制御基板１０の面に垂直の方向に沿っての移動を規制されるので、コネクタガイド２０を取り外すことはできない。また、制御基板１０と外部との入出力は、ハーネス孔２２を通してコネクタ１２に連結されたケーブル類を介して行われる。
【００２４】
なお、この特殊ビスの頭は、締め付け方向にはドライバが効くがゆるめ方向には効かない。したがって、一旦螺着した後は例えばビス通３２を破壊しないかぎり、上箱部１６と下箱部１８とを分離できない。よって、そうした破壊の痕跡の有無により、制御基板ボックス１４が開閉されたか否かを判別できる。
【００２５】
以上のように、この制御基板ボックス１４では、透明な導電性フィルム６２を下箱部１８の底１８ａに貼っているので、導電性フィルム６２が電磁波を吸収するからシールド性が確保され、また導電性フィルム６２からの空中放電により静電気が放出されるので過剰に蓄積された静電気によって制御基板１０の動作に障害が発生することも防止できる。
【００２６】
しかも、導電性フィルム６２が、ステンレス板４６およびコーナ電極１３を経て制御基板１０の対地アース用端子に接続されているから、対地アース用端子を通じて導電性フィルム６２を対地アースでき、静電気の蓄積防止効果を一層良好にできる。なお、ステンレス板４６は、全体がプラスチック製のために強度が充分と言えない下箱部１８（特に側面
３８）を補強する補強手段ともなっている。このステンレス板４６のように、一部材に中継手段と補強手段とを兼ねさせるためには、通電性（中継手段）と適度の強度（補強手段）の有る材質を使用すればよい。もし、中継手段と補強手段を別々に設けるなら、中継手段としては金属や通電性樹脂などの導通性のある材料を用いればよく、補強手段は必要に応じた強度を有する材質であればよい。
【００２７】
そして、パチンコ機の本体に対面する下箱部１８の底１８ａに導電性フィルム６２を貼っているので、パチンコ機の通路を移動する遊技球によって発生する静電気により制御基板ボックス１４が帯電するのを効率よく防止できる。
【００２８】
また、この制御基板ボックス１４では、コネクタガイド２０を用い、上箱部１６にハーネス孔２２を設けたことにより、コネクタ１２だけを外部に露出し、配線パターンは全く露出されない。したがって、配線パターンの一部を変更したり、一部の部品を交換あるいは追加するような、不正な改変を確実に防止できる。
【００２９】
次にいくつかの変形例を説明する。
（変形例１）
図６に示すのはコネクタガイドの一変形例である。このコネクタガイド８０は実施例のコネクタガイドとは、コネクタ孔８０ａ〜８０ｅの形状および個数が異なっている。これは、弾球遊技機の機種によって制御基板に接続される配線数（入出力数）が異なるため、それに応じてコネクタの形状および個数が異なることによる。そして、このように機種に応じて変化するコネクタの形状および個数に合わせたコネクタガイドを用いれば、制御基板ボックスの上下の箱部の形状を変更せずともさまざまな機種に対応できる。よって、制御基板ボックスの設計、製造に関わる人的資源および物的資源を節約することができる。（変形例２）
図７および図８に示すのは制御基板の配線パターンの一変形例である。図７に示すように、この制御基板９０の表側では、コネクタ９２ａ〜９２ｅの配置領域９４には配線パターンは設けられていない（一点鎖線の内側の配線パターンの図示は省略している）。一方、図８に示すように、裏側では、配置領域９４の裏面も含めてほぼ全域に配線パターンが設けられていて（一点鎖線の内側の配線パターンの図示は省略している）、コネクタ９２ａ〜９２ｅは裏側の配線パターンに接続されている。
【００３０】
この制御基板９０を用いれば、図９に示されるように、下箱部９６にて制御基板９０の裏側全域を覆い、上箱部９８にては表側の配置領域９４を除く部分を覆って、コネクタ９２ａ〜９２ｅを露出させることができる。その際にコネクタ９２ａ〜９２ｅと共に露出される配置領域９４には配線パターンが存在しないから、配線パターンの一部を変更したり、一部の部品を交換あるいは追加するような、不正な改変を確実に防止できる。なお、下箱部９６には実施例と同様に導電性フィルム（図示は省略）が貼られているので、実施例と同様の効果を発揮できる。
【００３１】
以上、実施例および変形例に従って、本発明の実施の形態について説明したが、本発明はこのような実施例に限定されるものではなく、本発明の要旨を逸脱しない範囲でさまざまに実施できることは言うまでもない。
【図面の簡単な説明】
【００３２】
【図１】実施例の制御基板ボックスの分解斜視図である。
【図２】実施例の制御基板ボックスの下箱部の左半部の平面図である。
【図３】図２におけるＡ−Ａ線に沿った部分断面図である。
【図４】図２におけるＢ−Ｂ線に沿った部分断面図である。
【図５】実施例の制御基板ボックスのコネクタガイドの短辺に沿った部分断面図である。
【図６】変形例１のコネクタガイドの斜視図である。
【図７】変形例２の制御基板の平面図である。
【図８】変形例２の制御基板の裏面図である。
【図９】変形例２の制御基板を収容する制御基板ボックスの構造の説明図である。
【符号の説明】
【００３３】
１０…制御基板、１２…コネクタ、１３…コーナ電極、１４…制御基板ボックス、１６…上箱部、１８…下箱部、１８ａ…底、２０…コネクタガイド、２０ａ〜２０ｈ…コネクタ孔、２２…ハーネス孔、２４…下端部、２６…上縁部、２８…通気孔、３０…ビス通、３２…ビス通、３４…腕、３６…本体、３８…側面、４０…取付ピン、４２…ビス受、４４…ビス受、４６…ステンレス板（中継手段）、４８…舌部、４９…爪、５０…フィルム押、５１…ビス受、５２…外周部、５４…内周部、５６…窓状の孔、５８…取付片、６０…ビス、６２…導電性フィルム（透明な導電性の層）、７０…ビス、８０…コネクタガイド、８０ａ〜８０ｅ…コネクタ孔、９０…制御基板、９２ａ〜９２ｅ…コネクタ、９４…配置領域、９６…下箱部、９８…上箱部。
【図２】
2005028158.tif 000003
【図３】
2005028158.tif 000004
【図４】
2005028158.tif 000005
【図５】
2005028158.tif 000006
【図６】
2005028158.tif 000007
【図９】
2005028158.tif 000008
【図１】
2005028158.tif 000009
【図７】
2005028158.tif 000010
【図８】
2005028158.tif 000011